(57)【要約】【課題】組付け作業性が良い分岐プロテクタの製造方法、及び、ワイヤーハーネスの製造方法を提供する。【解決手段】治具台に立設された治具ピン５１に、分岐プロテクタ１Ａのプロテクタシート２Ａを治具台５０より浮かせた状態で支持する部品セット工程と、プロテクタシート２Ａに電線分岐部ＷＤを組付ける組付け工程とを備えた。【選択図】図５２
2019016533.tif 000002
【特許請求の範囲】
【請求項１】
治具台に立設された治具ピンに、本体部品を前記治具台より浮かせた状態で支持する部品セット工程と、
前記本体部品に電線分岐部を組付ける組付け工程とを備えたことを特徴とする分岐プロテクタの製造方法。
【請求項２】
請求項１記載の分岐プロテクタの製造方法であって、
前記本体部品は、可撓性のプロテクタシートであり、
前記部品セット工程では、展開状態の前記プロテクタシートを前記治具ピンで支持し、
前記組付け工程では、前記プロテクタシートに前記電線分岐部を載置し、前記プロテクタシートを前記電線分岐部の外周に巻き付け、前記電線分岐部の幹線が引き出された前記プロテクタシートのテープ巻き用突出部と前記幹線に一括して拘束テープを巻き付けることを特徴とする分岐プロテクタの製造方法。
【請求項３】
請求項１記載の分岐プロテクタの製造方法であって、
前記本体部品は、可撓性のプロテクタシートであり、
前記部品セット工程では、展開状態の前記プロテクタシートを前記治具ピンで支持し、
前記組付け工程では、前記プロテクタシートに前記電線分岐部を載置し、前記プロテクタシートを前記電線分岐部の外周に巻き付け、且つ、前記電線分岐部の外周に補強プロテクタ部材を配置し、前記電線分岐部の幹線が引き出された前記プロテクタシートと前記補強プロテクタ部材のテープ巻き用突出部と前記幹線に一括して拘束テープを巻き付けることを特徴とする分岐プロテクタの製造方法。
【請求項４】
請求項１記載の分岐プロテクタであって、
前記本体部品は、円弧形状の形態を維持する剛性を有する補強プロテクタプレートであり、
前記部品セット工程では、前記補強プロテクタプレートを前記治具ピンで支持し、
前記組付け工程では、前記補強プロテクタプレートに前記電線分岐部を載置し、前記プロテクタシートを前記電線分岐部の外周に巻き付け、前記電線分岐部の幹線が引き出された前記補強プロテクタプレートと前記プロテクタシートのテープ巻き用突出部と前記幹線に一括して拘束テープを巻き付けることを特徴とする分岐プロテクタの製造方法。
【請求項５】
請求項１〜請求項４のいずれかに記載の分岐プロテクタであって、
前記組付け工程では、前記電線分岐部の枝線が引き出された前記プロテクタシートのテープ巻き用突出部と前記枝線に一括して拘束テープを巻き付けることを特徴とする分岐プロテクタの製造方法。
【請求項６】
請求項１記載の分岐プロテクタであって、
前記本体部品は、上面が開口された電線収容室を有する分岐プロテクタ本体であり、
前記部品セット工程では、前記分岐プロテクタ本体を前記治具ピンで支持し、
前記組付け工程では、前記分岐プロテクタ本体の前記電線収容室に前記電線分岐部を収容し、前記電線収容室に前記電線分岐部の上からカバーを配置し、前記電線分岐部の幹線が引き出された前記分岐プロテクタ本体及び／又は前記カバーの電線固定用突出部と前記幹線に一括して拘束テープを巻き付けることを特徴とする分岐プロテクタの製造方法。
【請求項７】
請求項６記載の分岐プロテクタであって、
前記組付け工程では、前記電線分岐部の枝線が引き出された前記プロテクタ本体及び／又は前記カバーの電線固定用突出部と前記枝線に一括して拘束テープを巻き付けることを特徴とする分岐プロテクタの製造方法。
【請求項８】
請求項１〜請求項７のいずれかに記載の分岐プロテクタを備えたことを特徴とするワイヤーハーネス。
【発明の詳細な説明】
【技術分野】
【０００１】
本発明は、電線分岐部を保護する分岐プロテクタの製造方法、及び、ワイヤーハーネスの製造方法に関する。
【背景技術】
【０００２】
従来の分岐プロテクタとして、特許文献１に開示されたものが提案されている。この分岐プロテクタ２００は、図８８及び図８９に示すように、電線収容室２０１ａを有する分岐プロテクタ本体２０１と、この分岐プロテクタ本体２０１に装着されるカバー２１０とを有する。
【０００３】
電線収容室２０１ａは、底壁２０２と一対の側壁２０３に囲まれ、上面側が開口された電線収容室２０１ａが形成されている。一対の側壁２０３の両端には、２つの電線引出口２０４が設けられている。一対の側壁２０３の両端には、テープ巻き舌片２０６が延設されている。一方の側壁２０３の中央位置（側壁２０３の両端の間の位置）には、１つの電線引出口２０５が設けられている。一方の側壁２０３の電線引出口２０５が設けられた位置には、枝線固定板２０７が延設されている。
【０００４】
電線収容室２０１ａには、電線Ｗの電線分岐部（図示せず）が収容されている。電線分岐部は、幹線Ｗ１より１本の枝線Ｗ２が分岐されている。これにより、電線分岐部からは、２本の幹線Ｗ１と１本の枝線Ｗ２が異なる方向に延びている。２本の幹線Ｗ１は、両端の電線引出口２０４よりそれぞれ外部に引き出されている。１本の枝線Ｗ２は、中央位置の電線引出口２０５より外部に引き出されている。
【０００５】
カバー２１０は、分岐プロテクタ本体２０１への装着状態で、電線収容室２０１ａの上面を閉塞する。
【０００６】
この従来例では、分岐プロテクタ本体２０１とカバー２１０で覆われる電線収容室２０１ａに電線分岐部を収容することによって、電線分岐部を保護している。
【０００７】
従来の分岐プロテクタ２００の製造は、治具台上に分岐プロテクタ本体２０１を載置した状態で行われる。具体的には、分岐プロテクタ本体２０１を位置決め状態で治具台上に載置する。次に、電線収容室２０１ａに電線分岐部を収容する。次に、電線収容室２０１ａの上面をカバー２１０で閉塞する。次に、各テープ巻き舌片２０６と幹線Ｗ１を一括してテープＴを巻き付ける。又、枝線Ｗ２を枝線固定板２０７に締結バンド２０８で固定する。これで、完了する。
【先行技術文献】
【特許文献】
【０００８】
【特許文献１】特許第５２１７８７３号公報
【発明の概要】
【発明が解決しようとする課題】
【０００９】
しかしながら、前記従来例の分岐プロテクタ２００の製造方法では、テープＴの巻き付け作業時には、分岐プロテクタ本体２０１を治具台より持ち上げる必要がある。又、締結バンド２０８の取付け作業時にも、分岐プロテクタ本体２０１の一部を治具台より持ち上げる必要がある。従って、分岐プロテクタ２００の組付け作業性が悪いという問題があった。
【００１０】
そこで、本発明は、前記した課題を解決すべくなされたものであり、組付け作業性が良い分岐プロテクタの製造方法、及び、ワイヤーハーネスの製造方法を提供することを目的とする。
【課題を解決するための手段】
【００１１】
本発明は、治具台に立設された治具ピンに、分岐プロテクタの本体部品を前記治具台より浮かせた状態で支持する部品セット工程と、前記本体部品に電線分岐部を組付ける組付け工程とを備えたことを特徴とする分岐プロテクタの製造方法である。
【発明の効果】
【００１２】
本発明によれば、分岐プロテクタの本体部品を治具台で浮かせた状態で支持し、分岐プロテクタの本体部品の下方空間も組付け作業空間として利用できるため、組付け作業性が良い。
【図面の簡単な説明】
【００１３】
【図１】本発明の第１実施形態を示し、展開状態のプロテクタシートの表面側からの斜視図である。
【図２】本発明の第１実施形態を示し、展開状態のプロテクタシートの裏面側からの斜視図である。
【図３】本発明の第１実施形態を示し、プロテクタシート上に電線分岐部を載置した斜視図である。
【図４】本発明の第１実施形態を示し、（ａ）は電線分岐部にプロテクタシートを巻き付けた状態の斜視図、（ｂ）は電線分岐部にプロテクタシートを巻き付けた状態の正面図である。
【図５】本発明の第１実施形態を示し、（ａ）はプロテクタシートと幹線、及び、プロテクタシートと枝線に拘束テープを巻き付けた状態の斜視図、（ｂ）はプロテクタシートと幹線、及び、プロテクタシートと枝線に拘束テープを巻き付けた状態の正面図である。
【図６】本発明の第２実施形態を示し、展開状態のプロテクタシートの表面側からの斜視図である。
【図７】本発明の第２実施形態を示し、巻き付け状態のプロテクタシートの表面側からの斜視図である。
【図８】本発明の第３実施形態を示し、展開状態のプロテクタシートの表面側からの斜視図である。
【図９】本発明の第３実施形態を示し、巻き付け状態のプロテクタシートの表面側からの斜視図である。
【図１０】本発明の第４実施形態を示し、展開状態のプロテクタシートの表面側からの斜視図である。
【図１１】本発明の第４実施形態を示し、巻き付け状態のプロテクタシートの表面側からの斜視図である。
【図１２】本発明の第５実施形態を示し、展開状態のプロテクタシートの表面側からの斜視図である。
【図１３】本発明の第５実施形態を示し、巻き付け状態のプロテクタシートの表面側からの斜視図である。
【図１４】本発明の第６実施形態を示し、展開状態のプロテクタシートの表面側からの斜視図である。
【図１５】本発明の第６実施形態を示し、巻き付け状態のプロテクタシートの表面側からの斜視図である。
【図１６】本発明の第７実施形態を示し、展開状態のプロテクタシートの表面側からの斜視図である。
【図１７】本発明の第７実施形態を示し、巻き付け状態のプロテクタシートの表面側からの斜視図である。
【図１８】本発明の第８実施形態を示し、共に展開状態のプロテクタシートと補強プロテクタシートの斜視図である。
【図１９】本発明の第８実施形態を示し、（ａ）は電線分岐部にプロテクタシートを巻き付けた状態の斜視図、（ｂ）は電線分岐部にプロテクタシートを巻き付けた状態の正面図である。
【図２０】本発明の８実施形態を示し、（ａ）はプロテクタシートの上から補強プロテクタシートを巻き付けた状態の斜視図、（ｂ）はプロテクタシートの上から補強プロテクタシートを巻き付けた状態の正面図である。
【図２１】本発明の８実施形態を示し、（ａ）はプロテクタシート及び補強プロテクタシートと幹線、及び、プロテクタシート及び補強プロテクタシートと枝線に拘束テープを巻き付けた状態の斜視図、（ｂ）はプロテクタシート及び補強プロテクタシートと幹線、及び、プロテクタシート及び補強プロテクタシートと枝線に拘束テープを巻き付けた状態の正面図である。
【図２２】本発明の第９実施形態を示し、共に展開状態のプロテクタシートと補強プロテクタシートの斜視図である。
【図２３】本発明の第９実施形態を示し、巻き付け状態のプロテクタシートと、補強プロテクタシートの斜視図である。
【図２４】本発明の第９実施形態を示し、巻き付け状態のプロテクタシートの上から補強プロテクタシートを巻き付けた状態の斜視図である。
【図２５】本発明の第１０実施形態を示し、展開状態のプロテクタシートと、補強プロテクタプレートの斜視図である。
【図２６】本発明の第１０実施形態を示し、展開状態のプロテクタシート上に補強プロテクタプレートを置いた状態の斜視図である。
【図２７】本発明の第１０実施形態を示し、補強プロテクタプレートの上からプロテクタシートを巻き付けた状態の斜視図である。
【図２８】本発明の第１１実施形態を示し、展開状態のプロテクタシートと、補強プロテクタプレートの斜視図である。
【図２９】本発明の第１１実施形態を示し、展開状態のプロテクタシート上に補強プロテクタプレートを置いた状態の斜視図である。
【図３０】本発明の第１１実施形態を示し、補強プロテクタプレートの上からプロテクタシートを巻き付けた状態の斜視図である。
【図３１】本発明の第１２実施形態を示し、プロテクタプレートと展開状態の補強プロテクタシートの斜視図である。
【図３２】本発明の第１２実施形態を示し、プロテクタプレートの上から補強プロテクタシートを巻き付けた状態の斜視図である。
【図３３】本発明の第１３実施形態を示し、分岐プロテクタの分解斜視図である。
【図３４】本発明の第１３実施形態を示し、カバーを分岐プロテクタ本体内に配置した状態を示す斜視図である。
【図３５】本発明の第１３実施形態を示し、カバーを分岐プロテクタ本体内に配置した状態を底面側から見た斜視図である。
【図３６】本発明の第１３実施形態を示し、分岐プロテクタ本体内に電線の分岐部を収容した斜視図である。
【図３７】本発明の第１３実施形態を示し、分岐プロテクタ本体に収容された電線の分岐部上にカバーを落とし込んだ状態を示す斜視図である。
【図３８】本発明の第１３実施形態を示し、分岐プロテクタより引き出された幹線及び枝線にテープ巻きした状態を示す斜視図である。
【図３９】本発明の第１３実施形態を示し、カバーが正常に嵌っていることを目視で確認できることを示す斜視図である。
【図４０】本発明の第１３実施形態を示し、分岐プロテクタの要部断面図である。
【図４１】本発明の第１４実施形態を示し、分岐プロテクタの分解斜視図である。
【図４２】本発明の第１４実施形態を示し、分岐プロテクタの要部断面図である。
【図４３】本発明の第１５実施形態を示し、分岐プロテクタの分解斜視図である。
【図４４】本発明の第１５実施形態を示し、カバーを分岐プロテクタ本体内に配置した状態を示す斜視図である。
【図４５】本発明の第１５実施形態を示し、３方向に電線が延びる分岐部に使用する場合を示す斜視図である。
【図４６】本発明の第１６実施形態を示し、分岐プロテクタの分解斜視図である。
【図４７】本発明の第１６実施形態を示し、カバーを分岐プロテクタ本体内に配置した状態を示す斜視図である。
【図４８】本発明の第１７実施形態を示し、分岐プロテクタの分解斜視図である。
【図４９】本発明の第１７実施形態を示し、カバーを分岐プロテクタ本体内に配置した状態を示す斜視図である。
【図５０】（ａ）は治具台と治具ピンの斜視図、（ｂ）は第１実施形態の分岐プロテクタについて、治具ピンを使用した組付けを説明する斜視図である。
【図５１】第１実施形態の分岐プロテクタについて、治具ピンを使用した組付けを説明する斜視図である。
【図５２】第１実施形態の分岐プロテクタについて、治具ピンを使用した組付けを説明する斜視図である。
【図５３】第１実施形態の分岐プロテクタについて、治具ピンを使用した組付けを説明する斜視図である。
【図５４】第８実施形態の分岐プロテクタについて、治具ピンを使用した組付けを説明する斜視図である。
【図５５】第８実施形態の分岐プロテクタについて、治具ピンを使用した組付けを説明する斜視図である。
【図５６】第８実施形態の分岐プロテクタについて、治具ピンを使用した組付けを説明する斜視図である。
【図５７】第１０実施形態の分岐プロテクタについて、治具ピンを使用した組付けを説明する斜視図である。
【図５８】第１０実施形態の分岐プロテクタについて、治具ピンを使用した組付けを説明する斜視図である。
【図５９】第１０実施形態の分岐プロテクタについて、治具ピンを使用した組付けを説明する斜視図である。
【図６０】第１０実施形態の分岐プロテクタについて、治具ピンを使用した組付けを説明する斜視図である。
【図６１】第９実施形態の分岐プロテクタについて、治具ピンを使用した組付けを説明する斜視図である。
【図６２】第９実施形態の分岐プロテクタについて、治具ピンを使用した組付けを説明する斜視図である。
【図６３】第９実施形態の分岐プロテクタについて、治具ピンを使用した組付けを説明する斜視図である。
【図６４】第９実施形態の分岐プロテクタについて、治具ピンを使用した組付けを説明する斜視図である。
【図６５】第９実施形態の分岐プロテクタについて、治具ピンを使用した組付けを説明する斜視図である。
【図６６】第９実施形態の分岐プロテクタについて、治具ピンを使用した組付けを説明する斜視図である。
【図６７】第９実施形態の分岐プロテクタについて、治具ピンを使用した組付けを説明する斜視図である。
【図６８】第１１実施形態の分岐プロテクタについて、治具ピンを使用した組付けを説明する斜視図である。
【図６９】第１１実施形態の分岐プロテクタについて、治具ピンを使用した組付けを説明する斜視図である。
【図７０】第１１実施形態の分岐プロテクタについて、治具ピンを使用した組付けを説明する斜視図である。
【図７１】第１１実施形態の分岐プロテクタについて、治具ピンを使用した組付けを説明する斜視図である。
【図７２】第１２実施形態の分岐プロテクタについて、治具ピンを使用した組付けを説明する斜視図である。
【図７３】第１２実施形態の分岐プロテクタについて、治具ピンを使用した組付けを説明する斜視図である。
【図７４】第１２実施形態の分岐プロテクタについて、治具ピンを使用した組付けを説明する斜視図である。
【図７５】第１２実施形態の分岐プロテクタについて、治具ピンを使用した組付けを説明する斜視図である。
【図７６】第１２実施形態の分岐プロテクタについて、治具ピンを使用した組付けを説明する斜視図である。
【図７７】第１３実施形態の分岐プロテクタについて、治具ピンを使用した組付けを説明する斜視図である。
【図７８】第１３実施形態の分岐プロテクタについて、治具ピンを使用した組付けを説明する斜視図である。
【図７９】第１３実施形態の分岐プロテクタについて、治具ピンを使用した組付けを説明する斜視図である。
【図８０】第１３実施形態の分岐プロテクタについて、治具ピンを使用した組付けを説明する斜視図である。
【図８１】第１６実施形態の分岐プロテクタについて、治具ピンを使用した組付けを説明する斜視図である。
【図８２】第１７実施形態の分岐プロテクタについて、治具ピンを使用した組付けを説明する斜視図である。
【図８３】第１７実施形態の分岐プロテクタについて、治具ピンを使用した組付けを説明する斜視図である。
【図８４】第１７実施形態の分岐プロテクタについて、治具ピンを使用した組付けを説明する斜視図である。
【図８５】プロテクタシート２Ｂの第１変形例の展開図である。
【図８６】プロテクタシート２Ｂの第１変形例の展開図である。
【図８７】プロテクタシート２Ｃの第１変形例の展開図である。
【図８８】従来例を示し、分岐プロテクタの分解斜視図である。
【図８９】従来例を示し、分岐プロテクタの組付け状態の斜視図である。
【発明を実施するための形態】
【００１４】
以下、本発明の実施形態を図面に基づいて説明する。
【００１５】
（第１実施形態）
図１〜図５は本発明の第１実施形態を示す。ワイヤーハーネスは、所定の配策経路に沿って配策され、電線分岐部ＷＤを有する電線（電線束）Ｗと、電線分岐部ＷＤを保護する分岐プロテクタ１Ａとを備えている。電線分岐部ＷＤは、図３に示すように、幹線Ｗ１より１本の枝線Ｗ２が分岐されている。つまり、電線分岐部ＷＤは、２本の幹線Ｗ１と１本の枝線Ｗ２が異なる方向に延びる３分岐である。この３分岐の電線分岐部ＷＤを保護する分岐プロテクタ１Ａについて説明する。
【００１６】
分岐プロテクタ１Ａ（図５に示す）は、電線分岐部ＷＤの外周に装着されるプロテクタシート２Ａと、プロテクタシート２Ａと、幹線Ｗ１及び枝線Ｗ２に巻き付ける拘束テープＴとを備えている。
【００１７】
プロテクタシート２Ａは、図１に示すように、電線分岐部ＷＤに装着する前では、フラットな形状の可撓性シートである。
【００１８】
プロテクタシート２Ａは、切欠部４によって間隔を置いて配置された一対の帯状シート部５と、２つの幹線Ｗ１用のテープ巻き用突出部６と、１つの枝線用のテープ巻き用突出部７とを備えている。
【００１９】
プロテクタシート２Ａは、幹線配策方向Ｍに沿って延びる部品載置部２ａを有する。部品載置部２ａは、平坦形状に形成されている。部品載置部２ａ以外のプロテクタシート２Ａは、幹線配策方向Ｍの直交方向Ｎ（巻き付け先端方向）に向かって凹凸を交互に繰り返す蛇腹形状に形成されている。
【００２０】
プロテクタシート２Ａは、枝線Ｗ２が引き出される箇所を除いて電線分岐部ＷＤの外周に巻き付けされている。一対の帯状シート部５は、枝線Ｗ２が引き出される箇所の両外側の幹線Ｗ１の箇所に巻き付けられている。各帯状シート部５の巻き付け先端は、プロテクタシート２Ａの外側に重ね巻きされている。プロテクタシート２Ａの幹線配策方向Ｍの両端には、プロテクタシート２Ａの巻き付け形状によって幹線引出口８が形成されている。各幹線引出口８より電線分岐部ＷＤの幹線Ｗ１がそれぞれ引き出されている。
【００２１】
プロテクタシート２Ａには、切欠部４によって枝線引出口９が形成されている。枝線引出口９より電線分岐部ＷＤの枝線Ｗ２が引き出されている。
【００２２】
プロテクタシート２Ａの部品載置部２ａの裏面側には、クリップ装着部２ｂが設けられている。クリップ装着部２ｂには、車体用固定部であるクリップ１０が取付けられている。
【００２３】
幹線Ｗ１用のテープ巻き用突出部６は、プロテクタシート２Ａの幹線配策方向Ｍの両端よりそれぞれ延設されている。幹線Ｗ１用の各テープ巻き用突出部６は、分岐プロテクタ１の装着状態では、幹線引出口８より引き出された幹線Ｗ１の配策方向にそれぞれ突出している。
【００２４】
枝線Ｗ２用のテープ巻き用突出部７は、プロテクタシート２Ａの部品載置部２ａの側端より幹線配策方向Ｍの直交方向Ｎに延設されている。枝線Ｗ２用のテープ巻き用突出部７は、切欠部４とは反対側に位置する。枝線Ｗ２用のテープ巻き用突出部７は、分岐プロテクタ１Ａの装着状態では、枝線引出口９より引き出された枝線Ｗ２の配策方向に突出している。
【００２５】
各テープ巻き用突出部６，７は、プロテクタシート２Ａに連続するシート形状である。各テープ巻き用突出部６，７は、突出方向に沿って交互に凹凸を繰り返す蛇腹形状に形成されている。
【００２６】
次に、分岐プロテクタ１Ａの組付け作業を説明する。図１に示すように、展開状態のプロテクタシート２Ａを組付作業位置（例えば治具台に立設された治具ピンで保持された位置）に配置する。次に、図２に示すように、プロテクタシート２Ａ上に電線分岐部ＷＤを載置する。詳細には、の部品載置部２ａ及び２つの幹線Ｗ１のテープ巻き用突出部６上に電線分岐部ＷＤの幹線Ｗ１を、枝線Ｗ２用のテープ巻き用突出部７上に電線分岐部ＷＤの枝線Ｗ２をそれぞれ載置する。
【００２７】
次に、図３に示すように、プロテクタシート２Ａを電線分岐部ＷＤの外周に隙間なく巻き付ける。プロテクタシート２Ａの一対の帯状シート部５は、その巻き付け先端側をプロテクタシート２Ａの外側に重ね巻きする。
【００２８】
次に、図４に示すように、プロテクタシート２Ａと各幹線Ｗ１、及び、プロテクタシート２Ａと枝線Ｗ２とに対し、拘束テープＴをそれぞれ隙間なく巻き付ける。
【００２９】
詳細には、各幹線Ｗ１については、プロテクタシート２Ａの切欠部４の両端位置を巻き付け始点として、各テープ巻き用突出部６を有しない範囲では、プロテクタシート２Ａ（各帯状シート部５の箇所）の外周を巻き付け、テープ巻き用突出部６を有する範囲では、テープ巻き用突出部６と幹線Ｗ１の外周に一括して巻き付け、テープ巻き用突出部６より先端側の箇所では、幹線Ｗ１の外周に隙間なく巻き付ける。これにより、各幹線引出口８は、拘束テープＴによって完全に遮蔽される。
【００３０】
枝線Ｗ２については、テープ巻き用突出部７の根元位置を巻き付け始点として、テープ巻き用突出部７を有する範囲では、テープ巻き用突出部７と枝線Ｗ２の外周に一括して巻き付け、テープ巻き用突出部７の先端から先の箇所では、枝線Ｗ２の外周に隙間なく巻き付ける。これで分岐プロテクタ１Ａの組付け作業が完了する。
【００３１】
この分岐プロテクタ１の組付け作業の前後、若しくは、並行して分岐プロテクタ１Ａ以外の幹線Ｗ１及び枝線Ｗ２への部品装着などが行うことによりワイヤーハーネスが組付けされる。
【００３２】
以上説明したように、分岐プロテクタ１Ａは、電線分岐部ＷＤの枝線Ｗ２が引き出される切欠部４を有し、且つ、電線分岐部ＷＤの幹線Ｗ１に巻き付けられ、両端より電線分岐部ＷＤの幹線Ｗ１が引き出される可撓性のプロテクタシート２Ａと、プロテクタシート２Ａの両端よりそれぞれ延設され、引き出された幹線Ｗ１の配策方向にそれぞれ突出するテープ巻き用突出部６とを備えている。
【００３３】
従って、電線分岐部ＷＤにプロテクタシート２Ａを巻き付けることで電線分岐部ＷＤを保護するため、電線分岐部ＷＤの大きさに関わらず電線分岐部ＷＤを保護でき、しかも、プロテクタシート２Ａが電線分岐部ＷＤの外面を覆うためにプロテクタシート２Ａ内に無駄なスペースが出来ない。以上より、電線分岐部ＷＤの大きさに関わらず電線分岐部ＷＤを保護でき、しかも、極力コンパクト化が図れる。
【００３４】
また、プロテクタシート２Ａは、幹線Ｗ１が引き出される箇所にテープ巻き用突出部６を有している。従って、幹線Ｗ１とテープ巻き用突出部６を一括して拘束テープＴで巻き付けることにより幹線Ｗ１と分岐プロテクタ１Ａを強固に固定できる。これにより、幹線Ｗ１に作用する引っ張り力によって、幹線Ｗ１より分岐プロテクタ１Ａが外れたり、又は、外れないまでも相対的な位置ずれが発生したりすることを確実に防止できる。
【００３５】
分岐プロテクタ１Ａは、プロテクタシート２Ａの両端の巻き付け形状によって形成され、幹線Ｗ１がそれぞれ引き出される２つの幹線引出口８と、プロテクタシート２Ａの切欠部４によって形成され、枝線Ｗ２が引き出される枝線引出口９とを備えている。
【００３６】
従って、プロテクタシート２Ａには、２つの幹線引出口８を形成するための切欠等の特異な形状を形成する必要がなく、シンプルなシート形状で分岐プロテクタ１Ａを得ることができる。
【００３７】
プロテクタシート２Ａは、切欠部４を間に挟んで一対の帯状シート部５を有し、電線分岐部ＷＤの枝線Ｗ２の両外側で幹線Ｗ１の全周に亘ってそれぞれ巻き付けられている。
【００３８】
従って、枝線Ｗ２が引き出される箇所を除く電線分岐部ＷＤの全ての箇所がプロテクタシート２Ａによって保護できる。
【００３９】
各帯状シート部５は、その巻き付け先端側がプロテクタシート２Ａに重ね巻きされている。従って、プロテクタシート２Ａを幹線Ｗ１の外周に単純に巻き付けるだけで幹線Ｗ１の全周を保護できる。重ね巻きによって、分岐プロテクタ１Ａの強度がアップし、保護機能が向上する。
【００４０】
プロテクタシート２Ａは、引き出された枝線Ｗ２の配策方向に突出するテープ巻き用突出部７を有している。従って、枝線Ｗ２とテープ巻き用突出部７を一括して拘束テープＴで巻き付けることにより枝線Ｗ２と分岐プロテクタ１Ａを強固に固定できる。これにより、枝線Ｗ２に作用する引っ張り力によって、枝線Ｗ２より分岐プロテクタ１が外れたり、又は、外れないまでも相対的な位置ずれが発生したりすることを確実に防止できる。
【００４１】
プロテクタシート２Ａは、部品載置部２ａを除いて蛇腹形状に形成されている。従って、プロテクタシート２Ａを幹線Ｗ１に容易に巻き付けできるため、巻き付け作業性が良い。
【００４２】
幹線Ｗ１及び枝線Ｗ２の各テープ巻き用突出部６，７は、シート状で、蛇腹形状に形成されている。従って、分岐プロテクタ１Ａより引き出された幹線Ｗ１及び枝線Ｗ２は、幹線Ｗ１及び枝線Ｗ２の配策方向の上下方向ＵＤに容易に撓み変形できるため、配策作業性が良い。又、配策方向の自由度も高い。
【００４３】
プロテクタシート２Ａには、クリップ１０が設けられている。従って、分岐プロテクタ１Ａをクリップ１０を用いて容易に車体に固定できる。
【００４４】
（第２実施形態）
図６及び図７は本発明の第２実施形態を示す。第２実施形態の分岐プロテクタでは、前記第１実施形態と比較するに、プロテクタシート２Ｂの切欠部４の位置と一対の帯状シート部５の位置が相違する。つまり、切欠部４は、部品載置部２ａの第１実施形態とは反対側に形成されており、第１実施形態とは反対側に一対の帯状シート部５が設けられている。これにより、枝線用のテープ巻き用突出部７は、一対の帯状シート部５と同様に部品載置部２ａから同じ方向に延設され、切欠部４を利用して配置されている。つまり、枝線用のテープ巻き用突出部７は、一対の帯状シート部５の間に位置する。
【００４５】
他の構成は、前記第１実施形態と同一であるため、図面の同一構成箇所には同一符号を付して説明を省略する。
【００４６】
この第２実施形態でも、前記第１実施形態と同様に、電線分岐部（図示せず）の大きさに関わらず電線分岐部を保護でき、しかも、極力コンパクト化が図れる。
【００４７】
また、プロテクタシート２Ｂに幹線（図示せず）が引き出される箇所にテープ巻き用突出部６を有するため、幹線とテープ巻き用突出部６を一括して拘束テープＴで巻き付けることにより幹線と分岐プロテクタを強固に固定できる。
【００４８】
枝線用のテープ巻き用突出部７は、一対の帯状シート部５と同様に部品載置部２ａから同じ方向に延設され、切欠部４を利用して配置されている。従って、第１実施形態に較べて、展開状態のプロテクタシート２Ｂの幹線配策方向Ｍの直交方向Ｎ（幅方向）の寸法が短くなる。
【００４９】
（第３実施形態）
図８及び図９は本発明の第３実施形態を示す。第３実施形態の分岐プロテクタは、前記第２実施形態と比較するに、プロテクタシート２Ｃの幹線（図示せず）用のテープ巻き用突出部７の構成が相違する。つまり、幹線用のテープ巻き用突出部６は、引き出された幹線の配策方向に沿って延びる直線突部６ａと、直線突部６ａの先端より直交方向に延びる一対の巻き付け突部６ｂとを有している。直線突部６ａは、部品載置部２ａに連続して平坦部位に形成されている。一対の巻き付け突部６ｂは、幹線配策方向Ｍの直交方向Ｎ（巻き付け先端方向）に沿って凹凸を交互に繰り返す蛇腹形状に形成されている。
【００５０】
他の構成は、前記第１実施形態と同一であるため、図面の同一構成箇所には同一符号を付して説明を省略する。
【００５１】
この第３実施形態でも、前記第１実施形態と同様に、電線分岐部（図示せず）の大きさに関わらず電線分岐部を保護でき、しかも、極力コンパクト化が図れる。
【００５２】
また、プロテクタシート２Ｃに幹線が引き出される箇所にテープ巻き用突出部６を有するため、幹線とテープ巻き用突出部６を一括して拘束テープ（図示せず）で巻き付けることにより幹線と分岐プロテクタを強固に固定できる。
【００５３】
特に、幹線のテープ巻き用突出部６は、幹線の外周の一部に当接する直線突部６ａと、幹線の外周に巻き付けされる一対の巻き付け突部６ｂとを有する。従って、幹線とテープ巻き用突出部６を一括して拘束テープで巻き付けることによる幹線と分岐プロテクタの固定が更に強固になる。
【００５４】
（第４実施形態）
図１０及び図１１は本発明の第４実施形態を示す。第４実施形態の分岐プロテクタは、４分岐の電線分岐部を保護する。つまり、幹線から互いに１８０度異なる向きに２つの枝線が分岐された電線分岐部を保護する。
【００５５】
分岐プロテクタは、電線分岐部に装着する前は、図１０に示すように、プロテクタシート２Ｄと、プロテクタシ―ト２Ｄより延設された４箇所のテープ巻き用突出部６，７とを備えた１枚の可撓性シートである。
【００５６】
プロテクタシート２Ｄは、切欠部４によって２つに分けられた一対の帯状シート部５を有する。プロテクタシート２Ｄは、平坦部である部品載置部２ａを有する。プロテクタシート２Ｄの部品載置部２ａの幹線配策方向Ｍの両端には、幹線（図示せず）用のテープ巻き用突出部６がそれぞれ延設されている。部品載置部２ａの幹線配策方向Ｍの直交方向Ｎの両側端には、枝線（図示せず）用のテープ巻き用突出部７がそれぞれ延設されている。
【００５７】
各テープ巻き用突出部６，７の構成は、前記第１実施形態と同じ構成である。
【００５８】
この第４実施形態でも、前記第１実施形態と同様に、電線分岐部（図示せず）の大きさに関わらず電線分岐部を保護でき、しかも、極力コンパクト化が図れる。
【００５９】
また、プロテクタシート２Ｄに幹線が引き出される箇所にテープ巻き用突出部６を有するため、幹線とテープ巻き用突出部６を一括して拘束テープ（図示せず）で巻き付けることにより幹線と分岐プロテクタを強固に固定できる。
【００６０】
（第５実施形態）
図１２及び図１３は本発明の第５実施形態を示す。第５実施形態の分岐プロテクタは、前記第１実施形態と比較するに、プロテクタシート２Ｅの枝線用のテープ巻き用突出部７の構成が相違する。つまり、枝線用のテープ巻き用突出部７は、可撓性のロッド７ａである。可撓性のロッド７ａには、間隔を置いて球状突部７ｂが突設されている。
【００６１】
他の構成は、前記第１実施形態と同一であるため、図面の同一構成箇所には同一符号を付して説明を省略する。
【００６２】
この第５実施形態でも、前記第１実施形態と同様に、電線分岐部（図示せず）の大きさに関わらず電線分岐部を保護でき、しかも、極力コンパクト化が図れる。
【００６３】
また、プロテクタシート２ｅは、幹線（図示せず）が引き出される箇所にテープ巻き用突出部６を有するため、幹線とテープ巻き用突出部６を一括して拘束テープ（図示せず）で巻き付けることにより幹線と分岐プロテクタを強固に固定できる。
【００６４】
枝線用のテープ巻き用突出部７は、可撓性のロッド７ａであるため、上下方向ＵＤのみならず左右方向ＬＲにも容易に撓み変形できる。従って、枝線引出口９より引き出された枝線の配策方向を３次元的に変移でき、前記第１〜第４実施形態に較べて、更に組付け作業性が良く、更に配策自由度も高い。
【００６５】
枝線用のテープ巻き用突出部７は、間隔を置いて球状突部７ｂを有する。従って、球状突部７ｂに食い込むようにして拘束テープ（図示せず）が巻き付けされるため、枝線と分岐プロテクタを強固に固定できる。
【００６６】
（第６実施形態）
図１４及び図１５は本発明の第６実施形態を示す。第６実施形態の分岐プロテクタは、前記第２実施形態と比較するに、プロテクタシート２Ｆの枝線（図示せず）のテープ巻き用突出部７の構成が相違する。つまり、枝線用のテープ巻き用突出部７は、前記第５実施形態と同様に、可撓性のロッド７ａである。可撓性のロッド７ａには、間隔を置いて球状突部７ｂが突設されている。
【００６７】
他の構成は、前記第２実施形態と同一であるため、図面の同一構成箇所には同一符号を付して説明を省略する。
【００６８】
この第６実施形態でも、前記第５実施形態と同様な作用・効果が得られる。
【００６９】
（第７実施形態）
図１６及び図１７は本発明の第７実施形態を示す。第７実施形態の分岐プロテクタは、前記第４実施形態と同様に４分岐の電線分岐部を保護するものである。分岐プロテクタは、前記第４実施形態と比較するに、プロテクタシート２Ｇの枝線（図示せず）用のテープ巻き用突出部７の構成が相違する。つまり、枝線用のテープ巻き用突出部７は、前記第５実施形態と同様に、可撓性のロッド７ａである。可撓性のロッド７ａには、間隔を置いて球状突部７ｂが突設されている。
【００７０】
他の構成は、前記第４実施形態と同一であるため、図面の同一構成箇所には同一符号を付して説明を省略する。
【００７１】
この第７実施形態でも、前記第５実施形態と同様な作用・効果が得られる。
【００７２】
（分岐プロテクタ部材が２部材の実施形態）
次に、本発明の第８実施形態〜第１２実施形態について説明する。第８実施形態〜第１２実施形態では、分岐プロテクタは、前記第１実施形態〜前記第７実施形態とは異なり、２つの分岐プロテクタ部材を有する。２つの分岐プロテクタ部材は、少なくとも１つは可撓性のプロテクタシートである。以下、各実施形態を説明する。
【００７３】
（第８実施形態）
図１８〜図２１は本発明の第８実施形態を示す。第８実施形態の分岐プロテクタ１Ｈは、プロテクタシート２Ａと補強プロテクタシート２１の２つの分岐プロテクタ部材を有する。
【００７４】
つまり、分岐プロテクタ１Ｈは、プロテクタシート２Ａと、補強プロテクタシート２１と、プロテクタシート２Ａ及び補強プロテクタシート２１と幹線Ｗ１、及び、プロテクタシート２Ａ及び補強プロテクタシート２１と枝線Ｗ２とをそれぞれ巻き付ける拘束テープＴとを備えている。
【００７５】
プロテクタシート２Ａは、前記第１実施形態と同一構成であるため、図面の同一構成箇所には同一符号を付して説明を省略する。
【００７６】
補強プロテクタシート２１は、図１８に示すように、電線分岐部ＷＤに装着する前では、フラットな形状の可撓性シートである。
【００７７】
補強プロテクタシート２１は、切欠部２４によって間隔を置いて配置された一対の帯状シート部２５と、２つの幹線用のテープ巻き用突出部２６とを備えている。
【００７８】
補強プロテクタシート２１には、幹線配策方向Ｍに沿って延びる剛性シート部２１ａが設けられている。剛性シート部２１ａは、平坦形状に形成されている。補強プロテクタシート２１の剛性シート部２１ａ及びテープ巻き用突出部２６以外の箇所は、幹線配策方向Ｍの直交方向Ｎ（巻き付け先端方向）に向かって凹凸を交互に繰り返す蛇腹形状に形成されている。
【００７９】
補強プロテクタシート２１は、プロテクタシート２Ａの外側より、枝線Ｗ２が引き出される箇所を除いて電線分岐部ＷＤの上面側の外周に巻き付けされている。
【００８０】
幹線Ｗ１用のテープ巻き用突出部２６は、補強プロテクタシート２１の幹線配策方向Ｍの両端よりそれぞれ延設されている。幹線Ｗ１用の各テープ巻き用突出部２６は、分岐プロテクタ１Ｈの装着状態では、幹線引出口８より引き出された幹線Ｗ１の配策方向にそれぞれ突出している。
【００８１】
幹線Ｗ１用の各テープ巻き用突出部２６は、補強プロテクタシート２１と同様にシート状である。各テープ巻き用突出部２６は、突出方向に沿って交互に凹凸を繰り返す蛇腹形状に形成されている。
【００８２】
次に、分岐プロテクタ１Ｈの組付け作業を説明する。図１８に示すように、展開状態のプロテクタシート２Ａを組付作業位置（例えば治具台の立設された治具ピン上）に配置する。次に、図１９に示すように、プロテクタシート２Ａの部品載置部２ａ及び２つの幹線Ｗ１用のテープ巻き用突出部６上に電線分岐部ＷＤの幹線Ｗ１を、枝線Ｗ２用のテープ巻き用突出部７上に電線分岐部ＷＤの枝線Ｗ２をそれぞれ載置する。
【００８３】
次に、図１９に示すように、プロテクタシート２Ａを電線分岐部ＷＤの外周に隙間なく巻き付ける。プロテクタシート２Ａの一対の帯状シート部５は、その巻き付け先端側がプロテクタシート２Ａの外側に重ね巻きする。
【００８４】
次に、図２０に示すように、電線分岐部ＷＤの上面側に、プロテクタシート２Ａの上から補強プロテクタシート２１を重ねるようにして巻き付ける。
【００８５】
次に、図２１に示すように、プロテクタシート２Ａ及び補強プロテクタシート２１と各幹線Ｗ１とを、及び、プロテクタシート２Ａ及び補強プロテクタシート２１と枝線Ｗ２とに対し、拘束テープＴを隙間なく巻き付ける。
【００８６】
詳細には、各幹線Ｗ１については、プロテクタシート２Ａ及び補強プロテクタシート２１の切欠部４，２４の両端位置を巻き付け始点として、各テープ巻き用突出部６，２６を有しない範囲では、プロテクタシート２Ａの外周に巻き付け、テープ巻き用突出部６，２６を有する範囲では、テープ巻き用突出部６，２６と幹線Ｗ１に一括して巻き付け、テープ巻き用突出部６，２６より先端側の箇所では、幹線Ｗ１の外周に隙間なく巻き付ける。これにより、各幹線引出口８は、拘束テープＴによって完全に遮蔽される。
【００８７】
枝線Ｗ２については、テープ巻き用突出部７の根元位置を巻き付け始点として、テープ巻き用突出部７を有する範囲では、テープ巻き用突出部７と枝線Ｗ２の外周に一括して巻き付け、テープ巻き用突出部７からの先端側の箇所では、枝線Ｗ２の外周に隙間なく巻き付ける。これで分岐プロテクタ１Ｈの組付け作業が完了する。
【００８８】
分岐プロテクタ１以外の幹線Ｗ１及び枝線Ｗ２への部品装着などが行うことによりワイヤーハーネスが組付けされる。
【００８９】
以上説明したように、分岐プロテクタ１Ｈは、電線分岐部ＷＤの枝線が引き出される切欠部４を有し、且つ、電線分岐部ＷＤの幹線Ｗ１に巻き付けられ、両端より電線分岐部ＷＤの幹線Ｗ１が引き出される可撓性のプロテクタシート２Ａと、プロテクタシート２Ａの両端よりそれぞれ延設され、引き出された幹線Ｗ１の配策方向にそれぞれ突出するテープ巻き用突出部６とを備えている。
【００９０】
従って、電線分岐部ＷＤにプロテクタシート２Ａを巻き付けることで電線分岐部ＷＤを保護するため、電線分岐部ＷＤの大きさに関わらず電線分岐部ＷＤを保護でき、しかも、プロテクタシート２Ａが電線分岐部ＷＤの外面を覆うためにプロテクタシート２Ａ内に無駄なスペースが出来ない。以上より、電線分岐部ＷＤの大きさに関わらず電線分岐部ＷＤを保護でき、しかも、極力コンパクト化が図れる。
【００９１】
また、プロテクタシート２Ａは、幹線Ｗ１が引き出される箇所にテープ巻き用突出部６を有する。従って、幹線Ｗ１とテープ巻き用突出部６を一括して拘束テープＴで巻き付けることにより幹線Ｗ１と分岐プロテクタ１Ｈを強固に固定できる。これにより、幹線Ｗ１に作用する引っ張り力によって、幹線Ｗ１より分岐プロテクタ１が外れたり、又は、外れないまでも相対的な位置ずれが発生したりすることを確実に防止できる。特に、補強プロテクタシート２１にも幹線Ｗ１のテープ巻き用突出部２６が設けられているため、第１実施形態〜第７実施形態よりも、幹線Ｗ１と分岐プロテクタ１Ｈを強固に固定できる。
【００９２】
分岐プロテクたタ１Ｈは、プロテクタシート２Ａの両端の巻き付け形状によって形成され、幹線Ｗ１がそれぞれ引き出される２つの幹線引出口８と、プロテクタシート２Ａの切欠部４によって形成され、枝線Ｗ２が引き出される枝線引出口９とを備えている。
【００９３】
従って、プロテクタシート２Ａには、２つの幹線引出口８，９を形成するための切欠等の特異な形状を形成する必要がなく、シンプルなシート形状である。又、補強プロテクタシート２１も同様な構成である。以上より、２枚のシンプルなシート形状で分岐プロテクタ１Ｈを得ることができる。
【００９４】
プロテクタシート２Ａは、切欠部４を間に挟んで一対の帯状シート部５を有し、プロテクタシート２Ａが、電線分岐部ＷＤの枝線の両外側で幹線Ｗ１の全周に亘ってそれぞれ巻き付けられている。従って、枝線Ｗ２が引き出される箇所を除く電線分岐部ＷＤの全ての箇所がプロテクタシート２Ａによって保護できる。又、補強プロテクタシート２１も、プロテクタシート２Ａの上から電線分岐部ＷＤに巻き付けされている。つまり、分岐プロテクタ１は、プロテクタシート２Ａと補強プロテクタシート２１の２枚のシートで電線分岐部ＷＤを保護するため、電線分岐部ＷＤを強固に保護できる。
【００９５】
各帯状シート部５は、その巻き付け先端側がプロテクタシート２Ａに重ね巻きされている。従って、プロテクタシート２Ａを幹線Ｗ１の外周に単純に巻き付けるだけで幹線Ｗ１の全周を保護できる。重ね巻きによって、分岐プロテクタ１Ｈの強度がアップし、保護機能が向上する。
【００９６】
プロテクタシート２Ａは、引き出された枝線Ｗ２の配策方向に突出するテープ巻き用突出部７を有している。従って、枝線Ｗ２とテープ巻き用突出部７を一括して拘束テープＴで巻き付けることにより枝線Ｗ２と分岐プロテクタ１Ｈを強固に固定できる。これにより、枝線Ｗ２に作用する引っ張り力によって、枝線Ｗ２より分岐プロテクタ１Ｈが外れたり、又は、外れないまでも相対的な位置ずれが発生したりすることを確実に防止できる。
【００９７】
プロテクタシート２Ａは、部品載置部２ａを除いて蛇腹形状に形成されている。従って、プロテクタシート２１Ａを幹線Ｗ１に容易に巻き付けできるため、巻き付け作業性が良い。補強プロテクタシート２１も、剛性部を除いて蛇腹形状に形成されている。従って、補強プロテクタシート２１を幹線Ｗ１に容易に巻き付けできるため、巻き付け作業性が良い。
【００９８】
幹線Ｗ１及び枝線Ｗ２の各テープ巻き用突出部６，７は、シート状で、突出方向に沿って交互に凹凸を繰り返す蛇腹形状に形成されている。従って、分岐プロテクタ１Ｈより引き出された幹線Ｗ１及び枝線Ｗ２は、幹線Ｗ１及び枝線Ｗ２の配策方向の上下方向ＵＤに容易に撓み変形できるため、配策作業性が良い。又、配策方向の自由度も高い。
【００９９】
プロテクタシート２Ａには、クリップ１０が設けられている。従って、分岐プロテクタ１Ｈをクリップ１０を用いて容易に車体に固定できる。
【０１００】
（第９実施形態）
図２２〜図２４は本発明の第９実施形態を示す。第９実施形態の分岐プロテクタは、前記第８実施形態と同様に、プロテクタシート２Ｂと補強プロテクタシート２１の２つの分岐プロテクタ部材を有する。
【０１０１】
つまり、分岐プロテクタは、プロテクタシート２Ｂと、補強プロテクタシート２１と、プロテクタシート２Ｂ及び補強プロテクタシート２１と幹線（図示せず）、及び、プロテクタシート２Ｂ及び補強プロテクタシート２１と枝線（図示せず）とをそれぞれ巻き付ける拘束テープ（図示せず）とを備えている。
【０１０２】
プロテクタシート２Ｂは、前記第２実施形態のものと同一構成であるため、図面の同一構成箇所には同一符号を付して説明を省略する。
【０１０３】
補強プロテクタシート２１は、前記第８実施形態のものと同一構成であるため、図面の同一構成箇所には同一符号を付して説明を省略する。
【０１０４】
分岐プロテクタの組付け作業は、前記第８実施形態のものと同様であるため、説明を省略する。分岐プロテクタの組付けに加えて、分岐プロテクタ以外の幹線及び枝線への部品装着などが行うことによりワイヤーハーネスが組付けされる。
【０１０５】
この第９実施形態でも、前記第８実施形態と同様に、電線分岐部ＷＤの大きさに関わらず電線分岐部ＷＤを保護でき、しかも、極力コンパクト化が図れる。
【０１０６】
また、プロテクタシート２Ｂと補強プロテクタシート２１の２枚のシートで電線分岐部ＷＤを保護するため、前記第８実施形態と同様に、電線分岐部ＷＤを強固に保護できる。
【０１０７】
第９実施形態の分岐プロテクタは、上記した以外にも前記第８実施形態と同様な効果を有する。
【０１０８】
（第１０実施形態）
図２５〜図２７は本発明の第１０実施形態を示す。第１０実施形態の分岐プロテクタは、前記第８及び第９実施形態とは異なり、プロテクタシート２Ａと補強プロテクタプレート２２の２つの分岐プロテクタ部材を有する。
【０１０９】
つまり、分岐プロテクタは、プロテクタシート２Ａと、補強プロテクタプレート２２と、プロテクタシート２Ａ及び補強プロテクタプレート２２と幹線（図示せず）、及び、プロテクタシート２Ａ及び補強プロテクタプレート２２と枝線（図示せず）とをそれぞれ巻き付ける拘束テープ（図示せず）とを備えている。
【０１１０】
プロテクタシート２Ａは、前記第１実施形態と同一構成であるため、図面の同一構成箇所には同一符号を付して説明を省略する。
【０１１１】
補強プロテクタプレート２２は、円弧形状を有し、円弧形状の形態を維持する剛性を有する。補強プロテクタプレート２２は、切欠部２７によって間隔を置いて配置された一対の帯状プレート部２８と、２つの幹線用のテープ巻き用突出部２６とを備えている。
【０１１２】
各テープ巻き用突出部２６は、突出方向に沿って交互に凹凸を繰り返す蛇腹形状に形成されている。従って、各テープ巻き用突出部２６のみは、撓み変形が容易に形成されている。各テープ巻き用突出部２６は、幹線の配策方向の上下方向ＵＤに容易に撓み変形できるため、配策作業性が良い。又、配策方向の自由度も高い。
【０１１３】
次に、分岐プロテクタの組付け作業を説明する。図２５に示すように、展開状態のプロテクタシート２Ａを組付作業位置に配置する。次に、プロテクタシート２Ａの部品載置部２ａ及び２つの幹線用のテープ巻き用突出部６上に電線分岐部（図示せず）の幹線（図示せず）を、枝線用のテープ巻き用突出部７上に電線分岐部の枝線（図示せず）をそれぞれ載置する。
【０１１４】
次に、図２６に示すように、電線分岐部に補強プロテクタプレート２２を被せる。
【０１１５】
次に、図２７に示すように、電線分岐部に、補強プロテクタプレート２２の上からプロテクタシート２Ａを巻き付ける。プロテクタシート２Ａの一対の帯状シート部５は、その巻き付け先端側をプロテクタシート２Ａの外側に重ね巻きする。
【０１１６】
次に、前記第８実施形態と同様に、プロテクタシート２Ａ及び補強プロテクタプレート２２と各幹線とに対し、及び、プロテクタシート２Ａ及び補強プロテクタプレート２２と枝線とに対し、拘束テープを隙間なく巻き付ければ、完了する。
【０１１７】
分岐プロテクタ以外の幹線及び枝線への部品装着などが行うことによりワイヤーハーネスが組付けされる。
【０１１８】
この第１０実施形態でも、前記第８実施形態と同様に、電線分岐部の大きさに関わらず電線分岐部を保護でき、しかも、極力コンパクト化が図れる。
【０１１９】
第１０実施形態の分岐プロテクタは、上記した以外にも前記第８実施形態と同様な効果を有する。
【０１２０】
特に、第１０実施形態では、前記第８実施形態の補強プロテクタシート２１よりも剛性の高い補強プロテクタプレート２２を用いているため、電線分岐部を更に強固に保護できる。
【０１２１】
また、前記第８実施形態では、補強プロテクタシート２１を電線分岐部に巻き付ける必要があったが、第１０実施形態では、電線分岐部の上に補強プロテクタプレート２２を被せるたけで良いため、前記第８実施形態に較べて組付け作業性が向上する。
【０１２２】
（第１１実施形態）
図２８〜図３０は本発明の第１１実施形態を示す。第１１実施形態の分岐プロテクタは、前記第１０実施形態と同様に、プロテクタシート２Ｂと補強プロテクタプレート２２の２つの分岐プロテクタ部材を有する。
【０１２３】
プロテクタシート２Ｂは、前記第２実施形態のものと同一構成であるため、図面の同一構成箇所には同一符号を付して説明を省略する。
【０１２４】
補強プロテクタプレート２２は、前記第１０実施形態のものと同一構成であるため、図面の同一構成箇所には同一符号を付して説明を省略する。
【０１２５】
分岐プロテクタの組付け作業は、前記第１０実施形態のものと同様であるため、説明を省略する。分岐プロテクタの組付けに加えて、分岐プロテクタ以外の幹線及び枝線への部品装着などが行うことによりワイヤーハーネスが組付けされる。
【０１２６】
この第１１実施形態でも、前記第１０実施形態と同様に、電線分岐部の大きさに関わらず電線分岐部を保護でき、しかも、極力コンパクト化が図れる。
【０１２７】
第１１実施形態の分岐プロテクタは、上記した以外にも前記第１０実施形態と同様な効果を有する。
【０１２８】
（第１２実施形態）
図３１及び図３２は本発明の第１２実施形態を示す。第１２実施形態の分岐プロテクタは、プロテクタプレート２９と補強プロテクタシート２１の２つの分岐プロテクタ部材を有する。
【０１２９】
つまり、分岐プロテクタは、プロテクタプレート２９と補強プロテクタシート２１と、プロテクタプレート２９及び補強プロテクタシート２１と幹線（図示せず）、及び、プロテクタプレート２９及び補強プロテクタシート２１と枝線（図示せず）とをそれぞれ巻き付ける拘束テープ（図示せず）とを備えている。
【０１３０】
プロテクタプレート２９は、外力が作用しても自らの形態を維持する程度の剛性を有する。プロテクタプレート２９は、概略円弧状を有し、前記第１０及び前記第１１実施形態の補強プロテクタプレートの構成と基本的に同じ構成である。つまり、プロテクタプレート２９は、切欠部２７によって間隔を置いて配置された一対の帯状プレート部２８と、２つの幹線用のテープ巻き用突出部２６とを備えている。プロテクタプレート２９の裏面側には、クリップ装着部２９ａが設けられている。クリップ装着部２９ａには、車体用固定部であるクリップ１０が取付られている。
【０１３１】
補強プロテクタシート２１は、前記第８実施形態のものと同一構成であるため、図面の同一構成箇所には同一符号を付して説明を省略する。
【０１３２】
次に、分岐プロテクタの組付け作業を説明する。図３１に示すように、プロテクタプレート２９を組付作業位置に配置する。次に、プロテクタプレート２９の底面及び２つの幹線のテープ巻き用突出部６上に電線分岐部（図示せず）の幹線（図示せず）を、プロテクタプレート２９の切欠部２７を通すように電線分岐部（図示せず）の枝線（図示せず）をそれぞれ載置する。
【０１３３】
次に、図３２に示すように、補強プロテクタシート２１を、プロテクタプレート２９の上面開口側より露出された電線分岐部については、直接に包み込み、且つ、電線分岐部（図示せず）がプロテクタプレート２９で覆われている箇所については、プロテクタプレート２９の外側より隙間なく巻き付ける。。
【０１３４】
次に、プロテクタプレート２９及び補強プロテクタシート２１と各幹線（図示せず）とに対し、拘束テープ（図示せず）を隙間なく巻き付ければ、完了する。
【０１３５】
分岐プロテクタ以外の幹線及び枝線への部品装着などが行うことによりワイヤーハーネスが組付けされる。
【０１３６】
この第１２実施形態でも、前記第１０実施形態及び前記第１１実施形態と同様に、電線分岐部の大きさに関わらず電線分岐部を保護でき、しかも、極力コンパクト化が図れる。
【０１３７】
第１２実施形態の分岐プロテクタは、上記した以外にも前記第１０実施形態及び前記第１１実施形態と同様な効果を有する。
【０１３８】
第１２実施形態では、プロテクタプレート２９及び補強プロテクタシート２１には、共に枝線（図示せず）のテープ巻き用突出部が設けられていないが、プロテクタプレート２９と補強プロテクタシート２１の双方、若しくは、いずれか一方に設けても良い。
【０１３９】
（第１３実施形態）
図３３〜図４０は本発明の第１３実施形態を示す。
【０１４０】
図３３〜図３５に示すように、分岐プロテクタ１００Ａは、３分岐の電線分岐部ＷＤを保護する。分岐プロテクタ１００Ａは、本体部品である分岐プロテクタ本体１０２と、カバー１１０とを備えている。
【０１４１】
分岐プロテクタ本体１０２は、底壁１０３と底壁１０３の両側端より立設された一対の側壁４，５とを有する。分岐プロテクタ本体１０２には、底壁１０３と一対の側壁１０４に囲まれ、上面側が開口された電線収容室１０６が形成されている。一対の側壁１０４，１０５の長手方向の両端には、それぞれ電線引出口７が形成されている。一方の側壁１０４は、その中央箇所（側壁１０４の両端の間の位置）に一対の側壁突部１０４ａを有し、この一対の側壁突部１０４ａの先端に電線引出口１０８が形成されている。つまり、この第１３実施形態では、分岐プロテクタ本体１０２の側壁１０４，１０５には、３つの電線引出口１０７，１０８が形成されている。
【０１４２】
電線収容室１０６には、図３６に示すように、電線（電線束）Ｗの電線分岐部ＷＤが収容される。一対の側壁１０４，１０５の両端の２つの電線引出口１０７からは、幹線Ｗ１の両側がそれぞれ外部に引き出されている。一方の側壁１０４の中央箇所の電線引出口１０８からは、１本の枝線Ｗ２が外部に引き出されている。
【０１４３】
底壁１０３には、各電線引出口１０７，１０８より幹線Ｗ１と枝線Ｗ２の各配策方向に突出する電線固定用突出部１０９がそれぞれ設けられている。各電線固定用突出部１０９は、突出方向に沿って交互に凹凸を繰り返す蛇腹形状に形成されている。
【０１４４】
底壁１０３には、外面側にクリップ装着部１０３ａが設けられている。クリップ装着部１０３ａには、車体用固定部であるクリップ１２０が取り付けられている。
【０１４５】
カバー１１０は、電線収容室１０６の上面側の開口より電線収容室１０６に挿入される。カバー１１０は、電線収容室１０６に収容された電線分岐部ＷＤの上面に載置されている。
【０１４６】
カバー１１０は、平板状のカバー本体１１１とこのカバー本体１１１の周縁に設けられた姿勢保持壁１１２とを有する。カバー本体１１１は、電線収容室１０６とこれに連続する３つの電線引出口１０７，１０８を含めた上面側の開口形状とほぼ同じ形状に形成されている。
【０１４７】
姿勢保持壁１１２は、カバー本体１１１から下方に垂直方向に延びている。姿勢保持壁１１２は、電線収容室１０６内に位置させた状態（図３４、図３７の位置）では、電線収容室１０６及び各電線引出口１０７，１０８の各側壁１０４，１０５の内面に接触、若しくは、近接する位置となる。
【０１４８】
カバー本体１１１には、各電線引出口１０７，１０８より幹線Ｗ１及び枝線Ｗ２の各配策方向に突出する電線固定用突出部１１３がそれぞれ設けられている。各電線固定用突出部１１３は、突出方向に沿って交互に凹凸を繰り返す蛇腹形状に形成されている。
【０１４９】
次に、分岐プロテクタ１００Ａの組付け作業を説明する。図３６に示すように、分岐プロテクタ本体１０２の電線収容室１０６にその上面側の開口より電線分岐部ＷＤを収容する。電線Ｗの幹線Ｗ１は、一対の側壁１０４，１０５の両端の電線引出口１０７よりそれぞれ引き出す。電線Ｗの枝線Ｗ２は、一方の側壁１０４の中央箇所の電線引出口１０８より引き出す。
【０１５０】
次に、図３７に示すように、カバー１１０を電線収容室１０６の上方に配置し、電線収容室１０６に落とし込むことで挿入する。尚、カバー１１０が寸法誤差等によって電線収容室１０６に落下しない場合には上から押圧力を作用させて挿入する。
【０１５１】
カバー１１０は、電線分岐部ＷＤ上に載置された状態で電線収容室１０６に配置される。各電線引出口１０８，１０９より引き出された幹線Ｗ１と枝線Ｗ２は、その下方側に分岐プロテクタ本体１０２の電線固定用突出部１０９が配置され、その上方側にカバー１１０の各電線固定用突出部１１３にが配置される。
【０１５２】
次に、図３８に示すように、分岐プロテクタ１００Ａの各電線引出口１０８，１０９の箇所、及び、電線各電線引出口１０８，１０９より引き出された幹線Ｗ１と枝線Ｗ２に拘束テープＴを巻き付ける。
【０１５３】
詳細には、拘束テープＴは、上下一対の電線固定用突出部１０９，１１３の根元箇所の分岐プロテクタ本体１０２とカバー１１０の箇所とを一括して巻き付け、上下一対の電線固定用突出部１０９，１１３を配置された範囲では、上下一対の電線固定用突出部１０９．１１３と幹線Ｗ１、及び、上下一対の電線固定用突出部１０９．１１３と枝線Ｗ２をそれぞれ一括して巻き付け、一対の電線固定用突出部１０９，１１３の先端より更に引き出された幹線Ｗ１及び枝線Ｗ２の箇所では、幹線Ｗ１及び枝線Ｗ２の各外周にそれぞれ隙間なく巻き付ける。拘束テープＴの巻き付けによって、分岐プロテクタ１００Ａの組付け作業が完了する。
【０１５４】
以上説明したように、分岐プロテクタ１００Ａは、上面側が開口され、電線分岐部ＷＤを収容する電線収容室１０６と電線収容室１０６より各電線Ｗがそれぞれ引き出される少なくとも３つの電線引出口１０７，１０８を有する分岐プロテクタ本体１０２と、電線収容室１０６の上面側の開口より電線収容室１０６に収容された電線分岐部ＷＤに載置され、電線収容室１０６の上面側を閉塞するカバー１１０とを備えている。
【０１５５】
従って、電線収容室１０６に収容された電線分岐部ＷＤ上にカバー１１０が載置されるため、電線分岐部ＷＤの大きさに関わらず電線分岐部ＷＤを収容でき、しかも、電線収容室１０６に無駄なスペースが出来ない。以上より、電線分岐部ＷＤの大きさに関わらず電線分岐部ＷＤを収容でき、しかも、極力コンパクト化が図れる。換言すれば、電線収容室１０６が電線分岐部ＷＤの大きさに応じた収容容量になるため、電線分岐部ＷＤの大きさに応じて分岐プロテクタ１００Ａのコンパクト化が図れる。
【０１５６】
例えば、分岐プロテクタ１００Ａの最大収容容量に較べて、電線分岐部ＷＤの大きさ（電線径の大小、電線の本数によって変化）が小さい場合には、図４０（ｂ）に示すように、分岐プロテクタ本体１０２に装着されたカバー１１０上に外部スペースＳが形成される。この外部スペースＳ分だけ分岐プロテクタ１００Ａのコンパクト化が図れる。カバー１１０上の外部スペースＳを別部品の設置スペ−ス等に利用できる。
【０１５７】
又、従来例では、電線収容室１０１ａの収容容量より電線分岐部（図示せず）が小さいと、電線収容室１０１ａ内に余分なスペースができて、電線分岐部（図示せず）が分岐プロテクタ１００内で移動（振動）し、電線分岐部（図示せず）がダメージを受ける恐れがあった。これに対し、この実施形態では、電線分岐部ＷＤが分岐プロテクタ１００Ａ内で移動（振動）し、電線分岐部ＷＤがダメージを受けることもない。
【０１５８】
カバー１１０は、分岐プロテクタ本体１０２の一対の側壁１０４，１０５間に落とし込む（挿入する）ことにより、カバー１１０が分岐プロテクタ本体１０２の所定の装着位置になる。従って、カバー１１０が落とし込まれた後に、図３９に示すように、カバー１１０が一対の側壁１０４，１０５の間に嵌っていることを目視で確認することができるため、品質向上を図ることができる。
【０１５９】
ところで、電線分岐部ＷＤの外周をテープ巻きのみで保護する場合には、テープ巻きにより電線Ｗが締め付けられることで、隣りの電線分岐部（図示せず）までの電線長さに対して寸法精度が出ないという事態が発生する恐れがあった。しかし、この第１３実施形態では、電線分岐部ＷＤは分岐プロテクタ１Ａ内に収容されることで保護されるので、隣りの電線分岐部（図示せず）までの電線長さに対して寸法精度で出る。
【０１６０】
分岐プロテクタ本体１０２とカバー１１０には、電線引出口１０７，１０８より電線Ｗの配策方向に突出する電線固定用突出部１０９，１１３がそれぞれ設けられている。従って、電線固定用突出部１０９，１１３を電線Ｗ（幹線Ｗ１、枝線Ｗ２）と共に一括して拘束テープＴで巻き付けることによって分岐プロテクタ１００Ａと電線Ｗ（幹線Ｗ１、枝線Ｗ２）を強固に固定できる。
【０１６１】
分岐プロテクタ本体１０２とカバー１１０の各電線固定用突出部１０９，１１３は、蛇腹形状に形成されている。従って、分岐プロテクタ１００Ａより引き出された電線Ｗ（幹線Ｗ１、枝線Ｗ２）は、電線Ｗ（幹線Ｗ１、枝線Ｗ２）の配策方向の上下方向に容易に撓み変形できるため、配策方向の自由度が高く、又、配策作業性が良い。
【０１６２】
カバー１１０には、電線収容室１０６の上面側の開口形状とほぼ同じ形状を有し、電線収容室１０６の側壁１０４，１０５の内面に近接対向する姿勢保持壁１１２が設けられている。従って、電線収容室６の上面側の開口よりカバー１１０を電線収容室１０６に落とし込む（挿入）際に、カバー１１０の落下姿勢が姿勢保持壁１１２によって保持されるため、カバー１１０が傾斜することなく電線収容室１０６の電線分岐部ＷＤ上に落下し、電線分岐部ＷＤ上に載置される。
【０１６３】
姿勢保持壁１１２は、カバー本体１１１より下方に垂直方向に延びている。従って、カバー本体１１１より上方に突出しないため、分岐プロテクタ本体１０２に装着されたカバー１１０上に形成できる外部スペースＳを確保しつつ、カバー１１０の落下時の傾斜を防止できる。
【０１６４】
分岐プロテクタ本体１０２には、クリップ１２０が設けられている。従って、分岐プロテクタ１００Ａをクリップ１２０を用いて容易に車体に固定できる。
【０１６５】
図４０（ａ）に示すように、カバー１１０からの荷重が電線分岐部ＷＤを介してクリップ１２０に伝達され易いため、車体への固定作業が容易である。
【０１６６】
（第１４実施形態）
図４１及び図４２は、本発明の第１４実施形態を示す。第１４実施形態の分岐プロテクタ１００Ｂは、前記第１３実施形態のものと比較するに、電線収容室１０６に突出する突起部１２１が底壁１０３に設けられている。突起部１２１は、クリップ１２０の真上位置に設けられている。突起部１２１は、電線分岐部ＷＤの想定高さとほぼ同じ高さに設定されている。つまり、分岐プロテクタ本体１０２に装着されたカバー１１０の下面に当接、若しくは、カバー１１０の下面近くにまで達する寸法である。突起部１２１は、円柱形状である。
【０１６７】
突起部１２１は、電線分岐部ＷＤが電線収容室１０６に収容された状態では、電線分岐部ＷＤを串刺しした状態で配置される。
【０１６８】
他の構成は、前記第１３実施形態と同一であるため、図面の同一構成箇所には同一符号を付して説明を省略する。
【０１６９】
この第１４実施形態でも、前記第１３実施形態と同様に、電線収容室６に収容された電線分岐部ＷＤ上にカバー１１０が載置されるため、電線分岐部ＷＤの大きさに関わらず電線分岐部ＷＤを収容でき、しかも、電線収容室１０６に無駄なスペースが出来ない。以上より、電線分岐部ＷＤの大きさに関わらず電線分岐部ＷＤを収容でき、しかも、極力コンパクト化が図れる。
【０１７０】
分岐プロテクタ本体１０２には、底壁１０３から電線収容室１０６に突出する突起部１２１が設けられている。従って、前記第１３実施形態と比較した場合よりも更に、カバー１１０からの荷重が突起部１２１を介してクリップ１２０により伝達され易いため、車体への固定作業がより容易になる。突起部１２１は、クリップ１２０の真上位置であるため、カバー１１０からの荷重が突起部１２１を介してクリップ１２０に更に伝達され易いため、車体への固定作業が更に容易になる。電線分岐部ＷＤの大きさが想定より小さい場合には、突起部１２１がカバー１１０に干渉しないように短く切断して使用する。
【０１７１】
突起部１２１は、電線分岐部ＷＤに串刺し状態に配置される。従って、突起部１２１が電線分岐部ＷＤと分岐プロテクタ本体１０２との固定部としても機能し、又、電線収容室６内における電線分岐部ＷＤの位置決め部としても機能する。
【０１７２】
突起部１２１は、円柱形状である。従って、エッジのない円柱形状であるため、エッジによって電線Ｗを損傷することがない。
【０１７３】
（第１５実施形態）
図４３〜図４５は、本発明の第１５実施形態を示す。第１５実施形態の分岐プロテクタ１００Ｃは、前記第１３実施形態のものと比較するに、４つの電線引出口１０７，１０８を有する。つまり、他方の側壁１０５にも一対の側壁突部１０５ａが設けられ、一対の側壁突部１０５ａの先端に電線引出口１０８が設けられている。
【０１７４】
分岐プロテクタ１００Ｃは、４本の電線（この実施形態では、２本の幹線と２本の枝線）が異なる方向に延びている電線分岐部（図示せず）を保護できる。
【０１７５】
他の構成は、前記第１３実施形態と同一であるため、図面の同一構成箇所には同一符号を付して説明を省略する。
【０１７６】
この第１５実施形態でも、前記第１３実施形態と同様に、電線収容室１０６に収容された電線分岐部（図示せず）上にカバー１１０が載置されるため、電線分岐部（図示せず）の大きさに関わらず電線分岐部（図示せず）を収容でき、しかも、電線収容室１０６に無駄なスペースが出来ない。以上より、電線分岐部（図示せず）の大きさに関わらず電線分岐部（図示せず）を収容でき、しかも、極力コンパクト化が図れる。
【０１７７】
図４５に示すように、第１５実施形態の分岐プロテクタ１００Ｃは、３本の電線（２本の幹線Ｗ１と１本の枝線Ｗ２）が異なる方向に延びている電線分岐部（図示せず）の保護にも使用できる。この場合、１つの電線引出口１０８を使用しないため、使用しない電線引出口１０８を電線固定用突出部１０９，１１３で塞ぐ。例えば、分岐プロテクタ本体１０２側の電線固定用突出部１０９を切断し、カバー１１０側の電線固定用突出部１１３を撓ませて電線引出口１０８を塞ぎ、撓み変形した電線固定用突出部１１３を拘束テープＴで分岐プロテクタ本体１０２に固定する。
【０１７８】
（第１６実施形態）
図４６及び図４７は、本発明の第１６実施形態を示す。第１６実施形態の分岐プロテクタ１００Ｄは、前記第１３実施形態のものと比較するに、次の点で異なる。つまり、カバー１１０側には、各電線引出口１０７より幹線（図示せず）の配策方向に突出する電線固定用突出部１１３は、前記第１３実施形態と同様に設けられている。しかし、カバー１００側には、電線引出口１０８より枝線（図示せず）の配策方向に突出する電線固定用突出部が設けられていない。
【０１７９】
他の構成は、前記第１実施形態と同一であるため、図面の同一構成箇所には同一符号を付して説明を省略する。
【０１８０】
分岐プロテクタ１００Ｄより引き出された枝線（図示せず）は、分岐プロテクタ本体１０２側の電線固定用突出部１０９と一括してテープ巻きされる。
【０１８１】
この第１６実施形態でも、前記第１３実施形態と同様に、電線収容室１０６に収容された電線分岐部（図示せず）上にカバー１１０が載置されるため、電線分岐部（図示せず）の大きさに関わらず電線分岐部（図示せず）を収容でき、しかも、電線収容室１０６に無駄なスペースが出来ない。以上より、電線分岐部（図示せず）の大きさに関わらず電線分岐部（図示せず）を収容でき、しかも、極力コンパクト化が図れる。
【０１８２】
枝線用の電線固定用突出部９は、分岐プロテクタ本体２側にのみ設けられているため、幹線Ｗ１の全体径と比べて枝線Ｗ２の全体径が非常に小さい場合に、テープ巻きし易い。
【０１８３】
（第１７実施形態）
図４８及び図４９は、本発明の第１７実施形態を示す。第１７実施形態の分岐プロテクタ１００Ｅは、前記第１３実施形態のものと比較するに、次の点で異なる。つまり、カバー１１０側の各電線引出口１０７より幹線Ｗ１（図８３に示す）の配策方向に突出する電線固定用突出部１１３は、前記第１３実施形態と同様に設けられている。しかし、前記第１６実施形態と同様に、カバー１１０側の電線引出口１０８より枝線Ｗ２（図８３に示す）の配策方向に突出する電線固定用突出部が設けられていない。
【０１８４】
また、分岐プロテクタ本体１０２側の電線引出口１０８より枝線Ｗ２（図８３に示す）の配策方向に突出する電線固定用突出部１０９は、蛇腹状ではなく、可撓性のロッド１０９ａである。可撓性のロッド１０９ａには、間隔を置いて球状突部１０９ｂが突設されている。
【０１８５】
他の構成は、前記第１３実施形態と同一であるため、図面の同一構成箇所には同一符号を付して説明を省略する。
【０１８６】
分岐プロテクタ１００Ｅより引き出された枝線Ｗ２（図８３に示す）は、分岐プロテクタ本体１０２側の電線固定用突出部１０９によってテープ巻きされる。
【０１８７】
この第１７実施形態でも、前記第１３実施形態と同様に、電線収容室１０６に収容された電線分岐部（図示せず）上にカバー１１０が載置されるため、電線分岐部（図示せず）の大きさに関わらず電線分岐部（図示せず）を収容でき、しかも、電線収容室１０６に無駄なスペースが出来ない。以上より、電線分岐部（図示せず）の大きさに関わらず電線分岐部（図示せず）を収容でき、しかも、極力コンパクト化が図れる。
【０１８８】
枝線用の電線固定用突出部９は、分岐プロテクタ本体２側にのみ設けられているため、幹線Ｗ１の全体径と比べて枝線Ｗ２の全体径が非常に小さい場合に、テープ巻きし易い。
【０１８９】
枝線用の電線固定用突出部１０９は、可撓性のロッド１０９ａであるため、上下方向ＵＤのみならず左右方向ＬＲにも容易に撓み変形できる。従って、電線引出口１０８より引き出された枝線Ｗ２（図８３に示す）の配策方向を３次元的に変移でき、前記第１３〜第１６実施形態に較べて、更に組付け作業性が良く、更に配策自由度も高い。
【０１９０】
枝線用の電線固定用突出部１０９は、間隔を置いて球状突部１０９ｂを有する。従って、球状突部１０９ｂに食い込むようにして拘束テープＴ（図８４参照）が巻き付けされるため、枝線Ｗ２（図８３に示す）と分岐プロテクタ１００Ｅを強固に固定できる。
【０１９１】
（治具ピンを使用した製造方法）
次に、治具ピン５１を使用した各実施形態の分岐プロテクタ１Ａ等の組付け手順（製造方法）を説明する。
【０１９２】
図５０（ａ）に示すように、治具台５０には、２本の治具ピン５１が間隔を開けて立設されている。各治具ピン５１は、治具台５０に基端側が支持された垂直部５２と、垂直部５２の先端より水平に延びる２つの水平保持部５３と、各水平保持部５３の先端より立設された垂直保持部５４を備えている。２つの治具ピン５１の水平保持部５３及び垂直保持部５４は、同じ向きを向いている。
（第１実施形態の組付け）
先ず、図５０（ｂ）に示すように、展開状態のプロテクタシート２１Ａを２つの治具ピン５１に乗せ、プロテクタシート２Ａを治具台５０より浮かせた状態で支持する（部品セット工程）。
【０１９３】
次に、図５１に示すように、プロテクタシート２Ａ上に電線分岐部ＷＤを載置する。次に、図５２に示すように、プロテクタシート２Ａを電線分岐部ＷＤの外周に巻き付ける。次に、図５３に示すように、プロテクタシート２Ａの巻き付け状態を保持しつつ、幹線Ｗ１及び枝線Ｗ２の引出箇所に拘束テープＴを巻き付ける（組付け工程）。これで、第１実施形態の分岐プロテクタ１Ａの組付けが完了する。
【０１９４】
尚、治具ピン５１の一部が組付け作業に際して支障がある場合には、治具ピン５１上でのプロテクタシート２Ａ等の位置を適宜ずらしつつ行う。下記の組付け作業でも同様である。
【０１９５】
（第８実施形態の組付け）
図５４の状態まで第１実施形態と同じに組付ける。その後、図５４に示すように、補強プロテクタシート２１をプロテクタシート２Ａに上から被せる。つぎに、図５５に示すように、補強プロテクタシート２１をプロテクタシート２Ａに重ね巻きする。次に、図５６に示すように、プロテクタシート２Ａ及び補強プロテクタシート２１の巻き付け状態を保持しつつ、幹線Ｗ１及び枝線Ｗ２の引出箇所に拘束テープＴを巻き付ける。これで、第８実施形態の分岐プロテクタ１Ｈの組付けが完了する。
【０１９６】
（第１０実施形態の組付け）
図５１の状態まで第１実施形態と同じに組付ける。その後、図５７、図５８に示すように、補強プロテクタプレート２２を電線分岐部ＷＤに上から被せる。次に、図５９に示すように、補強プロテクタプレート２２の上からプロテクタシート２Ａを重ね巻きする。次に、図６０に示すように、プロテクタシート２Ａの巻き付け状態を保持しつつ、幹線Ｗ１及び枝線Ｗ２の引出箇所に拘束テープＴを巻き付ける。これで、第１０実施形態の分岐プロテクタ１の組付けが完了する。
【０１９７】
（第２実施形態の組付け）
先ず、図６１に示すように、展開状態のプロテクタシート２１Ｂを２つの治具ピン５１に乗せ、プロテクタシート２Ｂを治具台５０より浮かせた状態で支持する（部品セット工程）。
【０１９８】
次に、図６２に示すように、プロテクタシート２Ｂ上に電線分岐部ＷＤを載置する。次に、図６３に示すように、プロテクタシート２Ｂを電線分岐部ＷＤの外周に巻き付ける。次に、図６４に示すように、プロテクタシート２Ｂの巻き付け状態を保持しつつ、幹線Ｗ１及び枝線Ｗ２の引出箇所に拘束テープＴを巻き付ける（組付け工程）。これで、第２実施形態の分岐プロテクタ１Ｂの組付けが完了する。
【０１９９】
（第９実施形態の組付け）
図６３の状態まで第２実施形態と同じに組み付ける。その後、図６５に示すように、補強プロテクタシート２１をプロテクタシート２Ｂの上に被せる。次に、図６６に示すように、補強プロテクタシート２１をプロテクタシート２Ｂの上から重ね巻きする。次に、図６７に示すように、プロテクタシート２Ｂ及び補強プロテクタシート２１の巻き付け状態を保持しつつ、幹線Ｗ１及び枝線Ｗ２の引出箇所に拘束テープＴを巻き付ける。これで、第９実施形態の分岐プロテクタ１Ｉの組付けが完了する。
【０２００】
（第１１実施形態の組付け）
図６２の状態まで第２実施形態と同じに組付ける。その後、図６８、図６９に示すように、補強プロテクタプレート２２を電線分岐部ＷＤに上から被せる。次に、図７０に示すように、補強プロテクタプレート２２の上からプロテクタシート２Ｂを巻き付ける。次に、図７１に示すように、プロテクタシート２Ｂの巻き付け状態を保持しつつ、幹線Ｗ１及び枝線Ｗ２の引出箇所に拘束テープＴを巻き付ける。これで、第１１実施形態の分岐プロテクタ１Ｋの組付けが完了する。
【０２０１】
（第１２実施形態の組付け）
先ず、図７２に示すように、補強プロテクタプレート２９を２つの治具ピン５１に乗せ、補強プロテクタプレート２９を治具台５０より浮かせた状態で支持する（部品セット工程）。
【０２０２】
次に、図７３に示すように、補強プロテクタプレート２９上に電線分岐部ＷＤを載置する。次に、図７４に示すように、プロテクタシート２１を電線分岐部ＷＤに上から被せる。次に、図７５に示すように、補強プロテクタプレート２９の上からプロテクタシート２１を巻き付ける。次に、図７６に示すように、プロテクタシート２１の巻き付け状態を保持しつつ、幹線Ｗ１及び枝線Ｗ２の引出箇所に拘束テープＴを巻き付ける（組付け工程）。これで、第１２実施形態の分岐プロテクタ１Ｌの組付けが完了する。
【０２０３】
（第３〜第７実施形態の組付け：図面なし）
第３〜第７実施形態の分岐プロテクタについては、それぞれのプロテクタシート２Ｃ〜２Ｇを用いて、第１、第２実施形態の分岐プロテクタ１Ａ，１Ｂの組付け手順で組付けを行えばよい。
【０２０４】
（第１３実施形態の組付け）
先ず、図７７に示すように、分岐プロテクタ本体１０２を２つの治具ピン５１に乗せ、分岐プロテクタ本体１０２を治具台５０より浮かせた状態で支持する（部品セット工程）。
【０２０５】
次に、図７８に示すように、分岐プロテクタ本体１０２の電線収容室１０６に電線分岐部ＷＤを収容する。電線Ｗの幹線Ｗ１は、一対の側壁１０４，１０５の両端の電線引出口１０７よりそれぞれ引き出す。電線Ｗの枝線Ｗ２は、一方の側壁１０４の中央箇所の電線引出口１０８より引き出す。
【０２０６】
次に、図７９に示すように、カバー１１０を電線収容室１０６の上方に配置し、電線収容室１０６に落とし込むことで挿入する。
【０２０７】
次に、図８０に示すように、分岐プロテクタ１００Ａの各電線引出口１０８，１０９の箇所、及び、電線各電線引出口１０８，１０９より引き出された幹線Ｗ１と枝線Ｗ２に拘束テープＴを巻き付ける（組付け工程）。これで、第１３実施形態の分岐プロテクタ１００Ｃの組付けが完了する。
【０２０８】
（第１４、第１５実施形態の組付け：図面なし）
第１４、第１５実施形態の分岐プロテクタ１００Ｂ、１００Ｃについては、それぞれの分岐プロテクタ本体１０２やカバー１１０を用いて、第１３実施形態の分岐プロテクタ１００Ａの組付け手順で組付けを行えばよい。
【０２０９】
（第１６実施形態の組付け）
第１６実施形態の分岐プロテクタ１００Ｄについても、第１３実施形態の分岐プロテクタ１００Ａの組付け手順で組付けを行えばよい。
【０２１０】
但し、図８１に示すように、カバー１００側には、電線引出口１０８より枝線（図示せず）の配策方向に突出する電線固定用突出部が設けられていない。従って、分岐プロテクタ１００Ｄより引き出された枝線（図示せず）は、分岐プロテクタ本体１０２側の電線固定用突出部１０９とのみ一括テープ巻きすることになる。これで、第１６実施形態の分岐プロテクタ１００Ｄの組付けが完了する。
【０２１１】
（第１７実施形態の組付け）
第１７実施形態の分岐プロテクタ１００Ｅについても、第１３実施形態の分岐プロテクタ１００Ａの組付け手順で組付けを行えばよい。
【０２１２】
具体的に説明すると、分岐プロテクタ本体１０２を２つの治具ピン５１に乗せ、分岐プロテクタ本体１０２を治具台５０より浮かせた状態で支持する（部品セット工程）。
【０２１３】
次に、図８２に示すように、分岐プロテクタ本体１０２の電線収容室１０６に電線分岐部ＷＤを収容する。電線Ｗの幹線Ｗ１は、一対の側壁１０４，１０５の両端の電線引出口１０７よりそれぞれ引き出す。電線Ｗの枝線Ｗ２は、一方の側壁１０４の中央箇所の電線引出口１０８より引き出す。
【０２１４】
次に、図８３に示すように、カバー１１０を電線収容室１０６の上方に配置し、電線収容室１０６に落とし込むことで挿入する。
【０２１５】
次に、図８４に示すように、分岐プロテクタ１００Ｅの各電線引出口１０８，１０９の箇所、及び、電線各電線引出口１０８，１０９より引き出された幹線Ｗ１と枝線Ｗ２に拘束テープＴを巻き付ける（組付け工程）。分岐プロテクタ１００Ｅより引き出された枝線Ｗ２は、球状突部１０９ｂ付きの可撓性のロッド１０９ａに一括してテープ巻きすることになる。これで、第１７実施形態の分岐プロテクタ１００Ｅの組付けが完了する。
【０２１６】
以上、治具ピン５１を使用した各実施形態の分岐プロテクタ１Ａ,１Ｂ,１Ｈ〜１Ｌ，１００Ａ〜１００Ｅの組付け手順（製造方法）を説明した。
【０２１７】
この組付け手順（製造方法）では、分岐プロテクタ１Ａ〜１Ｌ（欠番あり）の本体部品であるプロテクタシート２Ａ,２Ｂや補助プロテクタプレート２９や分岐プロテクタ本体１０２を治具ピン５１によって治具台５０より浮かせた状態で支持し、プロテクタシート２Ａ,２Ｂや補助プロテクタプレート２９や分岐プロテクタ本体１０２の下方空間も組付け作業空間として利用できる。従って、前記各実施形態では、拘束テープＴのテープ巻きが容易にでき、組付け作業性が良い。尚、拘束テープＴのテープ巻き以外の組付け作業も容易にできる。
【０２１８】
（プロテクタシートの変形例）
図８１は、プロテクタシート２Ｂの第１変形例を示す。プロテクタシート２Ｂの第１変形例では、一対の帯状シート部５に切欠部５ａがそれぞれ形成されている。この各切欠部５ａで治具ピン５１との位置決めを行えば、プロテクタシート２Ｂを治具ピン５１によって治具台５０より浮かせた状態で確実に支持できる。
【０２１９】
図８２は、プロテクタシート２Ｂの第２変形例を示す。プロテクタシート２Ｂの第２変形例では、一対の帯状シート部５に溝５ｂがそれぞれ形成されている。この各溝５ｂで治具ピン５１との位置決めを行えば、プロテクタシート２Ｂを治具ピン５１によって治具台５０より浮かせた状態で確実に支持できる。
【０２２０】
図８３は、プロテクタシート２Ｃの第１変形例を示す。プロテクタシート２Ｃの第１変形例では、一対のテープ巻き用突出部６に溝６ｄ
電線用帯状シート部５に切欠部５ａがそれぞれ形成されている。この各切欠部５ａで治具ピン５１との位置決めを行えば、プロテクタシート２Ｂを治具ピン５１によって治具台５０より浮かせた状態で確実に支持できる。
【０２２１】
尚、この各実施形態の製造方法に使用する治具ピン５１は、２本であるが、１本でも、３本以上でも良い。又、治具ピン５１の形態も二股であるが、三股以上でも良い。治具ピン５１の形態は、本体部品の形態に応じて適宜変更される。
【０２２２】
（第１実施形態〜第１２実施形態の変形例）
前記第１〜第１２実施形態では、電線Ｗの外周に直接拘束テープＴを巻き付けたが、電線Ｗにコルゲートチューブが装着されている場合には、コルゲートチューブの上から拘束テープＴを巻き付ける。
【０２２３】
前記第１〜第１２実施形態では、幹線引出口８や枝線引出口９より１本の幹線（電線束）Ｗ１や１本の枝線（電線束）Ｗ２を引き出しているが、複数本の幹線（電線束）Ｗ１や複数本の枝線（電線束）Ｗ２を引き出しても良い。ここで、１本の幹線（電線束）Ｗ１や１本の枝線（電線束）Ｗ２とは、同じ配策経路に沿って配策されるものをいう。
【０２２４】
前記第１〜第１２実施形態では、プロテクタシート２Ａ〜２Ｅの部品載置部２ａは、平板部に形成されているが、蛇腹形状に形成しても良い。
【０２２５】
前記第１〜第１２実施形態では、切欠部４は１つ設けられているが、複数の切欠部４を設けても良い。各切欠部４，２４，２７より枝線（電線束）Ｗ２を引き出すようにしても良い。
【０２２６】
前記第１〜第５実施形態、及び第８〜第１２実施形態において、枝線用のテープ巻き用突出部７は、前記第５、第６実施形態と同様に、間隔を置いて球状突部７ｂを有する可撓性のロッド７ａに形成しても良い。
【０２２７】
（第１３〜第１７実施形態の変形例）
前記第１３〜第１７実施形態では、電線Ｗの外周に直接拘束テープＴを巻き付けたが、電線Ｗにコルゲートチューブが装着されている場合には、コルゲートチューブの上から拘束テープＴを巻き付ける。
【０２２８】
前記第１３〜第１５実施形態では、分岐プロテクタ本体１０２とカバー１１０の双方に、電線引出口１０７，１０８より電線Ｗの配策方向に突出する電線固定用突出部１０９，１１３が設けられている。分岐プロテクタ本体１０２とカバー１１０のいずれか一方に（第１６、第１７実施形態は、その具体例）、電線引出口１０７，１０８より電線Ｗの配策方向に突出する電線固定用突出部１０９，１１３を設けても良い。この場合は、場合によっては分岐プロテクタ本体１０２とカバー１１０の間を固定する手段を設ける必要がある。
【０２２９】
前記第１３〜第１７実施形態では、電線固定用突出部１０９，１１３を電線Ｗ（幹線Ｗ１、枝線Ｗ２）と共に一括して拘束テープＴで巻き付けることによって分岐プロテクタ１００Ａ〜１００Ｃと電線Ｗ（幹線Ｗ１、枝線Ｗ２）を固定したが、電線固定用突出部１０９，１１３を電線Ｗ（幹線Ｗ１、枝線Ｗ２）と共に一括して結束バンドで締結することによって分岐プロテクタ１００Ａ〜１００Ｃと電線Ｗ（幹線Ｗ１、枝線Ｗ２）を固定しても良い。
【０２３０】
前記第１３〜第１５実施形態では、各電線引出口１０７，１０８は、側壁１０４，１０５に設けられているが、底壁１０３に設けても良く、又、側壁１０４，１０５と底壁１０３に亘って設けても良い。
【０２３１】
前記第１３〜第１５実施形態では、電線引出口１０７、１０８より単一の電線（電線束）Ｗを引き出しているが、複数の電線（電線束）を引き出しても良い。例えば、電線引出口１０８より１本の枝線（電線束）Ｗ２を引き出しているが、複数本の枝線（電線束）Ｗ２を引き出しても良い。ここで、単一の電線（電線束）Ｗとは、同じ配策経路に沿って配策されるものをいう。
【符号の説明】
【０２３２】
Ｔ  拘束テープ
ＷＤ  電線分岐部
Ｗ１  幹線
Ｗ２  枝線
１Ａ,１Ｂ,１Ｈ〜１Ｌ  分岐プロテクタ
２Ａ〜２Ｇ  プロテクタシート（本体部品）
６，７,２６  テープ巻き用突出部
２１  補強プロテクタシート（補強プロテクタ部材）
２９  補助プロテクタプレート（本体部品）
５０  治具台
５１  治具ピン
１００Ａ〜１００Ｅ  分岐プロテクタ
１０２  分岐プロテクタ本体（本体部品）
１０６  電線収容室
１１０  カバー
【図１】
2019016533.tif 000003
【図２】
2019016533.tif 000004
【図３】
2019016533.tif 000005
【図４】
2019016533.tif 000006
【図５】
2019016533.tif 000007
【図６】
2019016533.tif 000008
【図７】
2019016533.tif 000009
【図８】
2019016533.tif 000010
【図９】
2019016533.tif 000011
【図１０】
2019016533.tif 000012
【図１１】
2019016533.tif 000013
【図１２】
2019016533.tif 000014
【図１３】
2019016533.tif 000015
【図１４】
2019016533.tif 000016
【図１５】
2019016533.tif 000017
【図１６】
2019016533.tif 000018
【図１７】
2019016533.tif 000019
【図１８】
2019016533.tif 000020
【図１９】
2019016533.tif 000021
【図２０】
2019016533.tif 000022
【図２１】
2019016533.tif 000023
【図２２】
2019016533.tif 000024
【図２３】
2019016533.tif 000025
【図２４】
2019016533.tif 000026
【図２５】
2019016533.tif 000027
【図２６】
2019016533.tif 000028
【図２７】
2019016533.tif 000029
【図２８】
2019016533.tif 000030
【図２９】
2019016533.tif 000031
【図３０】
2019016533.tif 000032
【図３１】
2019016533.tif 000033
【図３２】
2019016533.tif 000034
【図３３】
2019016533.tif 000035
【図３４】
2019016533.tif 000036
【図３５】
2019016533.tif 000037
【図３６】
2019016533.tif 000038
【図３７】
2019016533.tif 000039
【図３８】
2019016533.tif 000040
【図３９】
2019016533.tif 000041
【図４０】
2019016533.tif 000042
【図４１】
2019016533.tif 000043
【図４２】
2019016533.tif 000044
【図４３】
2019016533.tif 000045
【図４４】
2019016533.tif 000046
【図４５】
2019016533.tif 000047
【図４６】
2019016533.tif 000048
【図４７】
2019016533.tif 000049
【図４８】
2019016533.tif 000050
【図４９】
2019016533.tif 000051
【図５０】
2019016533.tif 000052
【図５１】
2019016533.tif 000053
【図５２】
2019016533.tif 000054
【図５３】
2019016533.tif 000055
【図５４】
2019016533.tif 000056
【図５５】
2019016533.tif 000057
【図５６】
2019016533.tif 000058
【図５７】
2019016533.tif 000059
【図５８】
2019016533.tif 000060
【図５９】
2019016533.tif 000061
【図６０】
2019016533.tif 000062
【図６１】
2019016533.tif 000063
【図６２】
2019016533.tif 000064
【図６３】
2019016533.tif 000065
【図６４】
2019016533.tif 000066
【図６５】
2019016533.tif 000067
【図６６】
2019016533.tif 000068
【図６７】
2019016533.tif 000069
【図６８】
2019016533.tif 000070
【図６９】
2019016533.tif 000071
【図７０】
2019016533.tif 000072
【図７１】
2019016533.tif 000073
【図７２】
2019016533.tif 000074
【図７３】
2019016533.tif 000075
【図７４】
2019016533.tif 000076
【図７５】
2019016533.tif 000077
【図７６】
2019016533.tif 000078
【図７７】
2019016533.tif 000079
【図７８】
2019016533.tif 000080
【図７９】
2019016533.tif 000081
【図８０】
2019016533.tif 000082
【図８１】
2019016533.tif 000083
【図８２】
2019016533.tif 000084
【図８３】
2019016533.tif 000085
【図８４】
2019016533.tif 000086
【図８５】
2019016533.tif 000087
【図８６】
2019016533.tif 000088
【図８７】
2019016533.tif 000089
【図８８】
2019016533.tif 000090
【図８９】
2019016533.tif 000091